(57)【要約】  ユーザがコンテンツの閲覧および他のユーザとのコミュニケーションを同時に楽しむことができる入力装置を実現する。タブレット端末（１）は、自装置もしくは自装置の周囲の状態を特定する状態特定部（１３２）による特定結果に対応付けられたコミュニケーション情報を特定する表示指示決定部（１３４）を備える。
2015079865.tif 000002
【特許請求の範囲】
【請求項１】
通信ネットワークを介した複数のユーザによるコンテンツの閲覧およびコミュニケーションを可能にする共同閲覧システムにおいて、他のユーザとコミュニケーションを図るためのコミュニケーション画像に対する処理を示すコミュニケーション情報を送信する送信部を備える入力装置であって、
自装置または自装置の周囲の状態を特定する状態特定部と、
上記状態特定部による特定結果に対応付けられた上記コミュニケーション情報を特定するコミュニケーション情報特定部と、を備えることを特徴とする入力装置。
【請求項２】
自装置または自装置の周囲の状態を特定するための特定情報を取得する取得部をさらに備え、
上記状態特定部は、上記取得部が取得した特定情報に基づいて自装置または自装置の周囲の状態を特定することを特徴とする請求項１に記載の入力装置。
【請求項３】
上記取得部は、自装置に生じる加速度を取得する加速度取得部、自装置の周囲の照度を取得する照度取得部、自装置の位置情報を取得する位置情報取得部、自装置の周囲を撮影する撮影部、自装置の周囲の音声を取得する音声取得部、および、自装置の向きおよび傾きを取得する方向／傾き取得部のうち、少なくともいずれか１つを含み、
上記状態特定部は、上記加速度取得部、上記照度取得部、上記位置情報取得部、上記撮影部、上記音声取得部、上記方向／傾き取得部のうち、少なくともいずれか１つが取得した特定情報に基づいて自装置または自装置の周囲の状態を特定することを特徴とする請求項２に記載の入力装置。
【請求項４】
上記コミュニケーション情報特定部は、上記状態特定部が、上記加速度取得部によって取得された自装置に生じた加速度からユーザが自装置を把持していると特定したとき、ユーザが自装置を把持していることを示す上記コミュニケーション情報を特定することを特徴とする請求項３に記載の入力装置。
【請求項５】
上記コミュニケーション情報特定部は、上記状態特定部が、上記照度取得部によって取得された自装置の周囲の照度が、所定の値を超えていないと特定したとき、ユーザの周囲が暗いことを示す上記コミュニケーション情報を特定することを特徴とする請求項３または４に記載の入力装置。
【請求項６】
上記コミュニケーション画像は、ユーザを識別するための画像であり、
上記状態特定部は、上記位置情報取得部が取得した自装置の位置情報に基づいて、上記コンテンツおよびコミュニケーション画像を表示する表示装置と自装置との位置関係を特定し、
上記コミュニケーション情報特定部は、上記状態特定部が特定した上記表示装置と自装置との位置関係を、上記表示装置に表示される上記コンテンツと上記コミュニケーション画像との位置関係に反映させるための上記コミュニケーション情報を特定することを特徴とする請求項３から５の何れか１項に記載の入力装置。
【請求項７】
ユーザによる入力操作を受け付ける入力部と、上記入力操作を受け付けるための１つ以上のユーザインターフェースを表示する表示部と、上記入力部が受け付けた入力操作を特定する入力特定部と、をさらに備え、
上記入力特定部は、上記表示部に表示されたユーザインターフェースに対する入力操作を特定し、
上記コミュニケーション情報特定部は、上記ユーザインターフェースに対する上記入力特定部によって特定された入力操作に対応付けられた上記コミュニケーション情報を特定することを特徴とする請求項１から６のいずれか１項に記載の入力装置。
【請求項８】
上記入力操作は、上記コンテンツを変更するための入力操作であり、
上記コミュニケーション情報特定部は、上記入力特定部が特定した上記コンテンツを変更するための入力操作に対応付けられた上記コミュニケーション情報を特定することを特徴とする請求項７に記載の入力装置。
【請求項９】
上記表示部に表示する上記ユーザインターフェースを決定する表示内容決定部をさらに備え、
上記表示内容決定部は、上記コンテンツの内容に応じて上記表示部に表示する上記ユーザインターフェースを決定することを特徴とする請求項７に記載の入力装置。
【請求項１０】
通信ネットワークを介した複数のユーザによるコンテンツの閲覧およびコミュニケーションを可能にする共同閲覧システムにおいて、他のユーザとコミュニケーションを図るためのコミュニケーション画像に対する処理を示すコミュニケーション情報を送信する送信部を備える入力装置を用いたコミュニケーション情報の特定方法であって、
自装置または自装置の周囲の状態を特定する状態特定ステップと、
上記状態特定ステップにおける特定結果に対応付けられた上記コミュニケーション情報を特定するコミュニケーション情報特定ステップと、を含むことを特徴とする入力装置を用いたコミュニケーション情報の特定方法。
【請求項１１】
請求項１から９のいずれか１項に記載の入力装置から送信された上記コミュニケーション情報に応じて、コミュニケーション画像に対する処理を実行し、上記コンテンツおよび上記コミュニケーション画像を表示する表示装置に、処理が実行された上記コミュニケーション画像を送信することを特徴とする処理装置。
【請求項１２】
請求項１１に記載の処理装置から送信された上記コミュニケーション画像を、上記コンテンツとともに表示することを特徴とする表示装置。
【請求項１３】
請求項１から９のいずれか１項に記載の入力装置から送信された上記コミュニケーション情報に応じて、コミュニケーション画像に対する処理を実行するための指示情報を上記コンテンツおよび上記コミュニケーション画像を表示する表示装置に送信することを特徴とする処理装置。
【請求項１４】
請求項１３に記載の処理装置から送信された上記指示情報に応じて、コミュニケーション画像に対する処理を実行し、処理が実行された上記コミュニケーション画像を上記コンテンツとともに表示することを特徴とする表示装置。
【請求項１５】
請求項１に記載の入力装置を動作させるためのプログラムであって、コンピュータを上記状態特定部および上記コミュニケーション情報特定部として機能させるプログラム。
【請求項１６】
請求項１５に記載のプログラムを記録したコンピュータ読み取り可能な記録媒体。
【発明の詳細な説明】
【技術分野】
【０００１】
本発明は、通信ネットワークを介した複数のユーザによるコンテンツの閲覧およびコミュニケーションを可能にする共同閲覧システムにおいて、他のユーザとコミュニケーションを図るためのコミュニケーション画像に対する処理を実行するための入力操作を受け付ける入力装置、コミュニケーション情報の特定方法、コミュニケーション画像を送信する処理装置、コミュニケーション画像をコンテンツとともに表示する表示装置、入力装置を動作させるためのプログラム、およびそのプログラムを記録する記録媒体に関する。
【背景技術】
【０００２】
近年、映像などのコンテンツを閲覧しながら、遠隔地の友人や家族などとのコミュニケーションを図るための技術（以下、共同閲覧システム）に対するニーズがある。また従来、上記共同閲覧システムを実現するための方法として、コンテンツを閲覧しながらテキストチャットを同時に行う方法がある。他にも、コンテンツを閲覧しながらボイスチャットやビデオチャットを行う方法がある。【０００３】
例えば、下記特許文献１には、視聴者がテレビを視聴しながら他の視聴者とのチャットグループのリアルタイム通信に参加することができるテレビチャットシステムが開示されている。上記リアルタイム通信は、テキストメッセージ、音声通信、または映像通信で実現されている。
【先行技術文献】
【特許文献】
【０００４】
【特許文献１】日本国公開特許公報「特開２０１３−５０９６０号公報（２０１３年３月１４日公開）」
【特許文献２】日本国公開特許公報「特開２０１３−１４９２６２号公報（２０１３年８月１日公開）」
【発明の概要】
【発明が解決しようとする課題】
【０００５】
しかしながら、上述のような従来技術は以下のような問題がある。【０００６】
まず、テキストの入力によって他のユーザとコミュニケーションを図る場合、入力が煩雑となるため、コンテンツの閲覧がおろそかになることが多い。特に、コンテンツが映像の場合は、映像を見逃してしまうと他のユーザとのコミュニケーションを図ることが難しくなる。【０００７】
また、音声または映像によって他のユーザとコミュニケーションを図る場合、複数のユーザの音声が重なることで他のユーザの音声が聞き取りづらくなり、コミュニケーションを図ることが難しくなる。また、複数のユーザの発言のタイミングが重なってしまうと、以降、各ユーザが発言しづらくなってしまう可能性がある。さらに、コンテンツが映像の場合は、ユーザが発する音声に加え、コンテンツの音声も同時に聞こえるため、コミュニケーションを図ることはより困難となる。また、ユーザが３名以上の場合は、コミュニケーションを図ることはさらに困難となる。【０００８】
以上より、従来技術では、ユーザがコンテンツの閲覧および他のユーザとのコミュニケーションを同時に楽しむことができないという問題がある。【０００９】
本発明は、上記の問題点に鑑みてなされたものであり、その目的は、ユーザがコンテンツの閲覧および他のユーザとのコミュニケーションを同時に楽しむことができる入力装置を提供することにある。
【課題を解決するための手段】
【００１０】
上記の課題を解決するために、本発明の一態様に係る入力装置は、通信ネットワークを介した複数のユーザによるコンテンツの閲覧およびコミュニケーションを可能にする共同閲覧システムにおいて、他のユーザとコミュニケーションを図るためのコミュニケーション画像に対する処理を示すコミュニケーション情報を送信する送信部を備える入力装置であって、自装置または自装置の周囲の状態を特定する状態特定部と、上記状態特定部による特定結果に対応付けられた上記コミュニケーション情報を特定するコミュニケーション情報特定部と、を備える。【００１１】
また、上記の課題を解決するために、本発明の一態様に係る入力装置を用いたコミュニケーション情報の特定方法は、通信ネットワークを介した複数のユーザによるコンテンツの閲覧およびコミュニケーションを可能にする共同閲覧システムにおいて、他のユーザとコミュニケーションを図るためのコミュニケーション画像に対する処理を示すコミュニケーション情報を送信する送信部を備える入力装置を用いたコミュニケーション情報の特定方法であって、自装置または自装置の周囲の状態を特定する状態特定ステップと、上記状態特定ステップにおける特定結果に対応付けられた上記コミュニケーション情報を特定するコミュニケーション情報特定ステップと、を含む。
【発明の効果】
【００１２】
本発明の一態様によれば、コンテンツの閲覧および他のユーザとのコミュニケーションを同時に楽しむことができる入力装置を提供することができるという効果を奏する。
【図面の簡単な説明】
【００１３】
【図１】本発明の一実施形態に係るタブレット端末の要部構成の一例を示す機能ブロック図である。
【図２】図１に示すタブレット端末の状態取得部の一例を示すブロック図である。
【図３】図１に示すタブレット端末を用いた共同閲覧システム（コミュニケーションシステム）の構成の一例を示す概略図である。
【図４】（ａ）および（ｂ）は、図１に示すタブレット端末のタッチパネルに表示される画像の一例を示す模式図である。
【図５】図３に示す共同閲覧システムにおけるテレビに表示される画像の一例を示す模式図である。
【図６】（ａ）は、ユーザが図３に示す共同閲覧システムを使用している様子を示す図であり、（ｂ）は（ａ）に示すテレビに表示される画像の一例を示す模式図である。
【図７】（ａ）は、ユーザが図３に示す共同閲覧システムを使用している様子を示す図であり、（ｂ）は（ａ）に示すテレビに表示される画像の一例を示す模式図である。
【図８】（ａ）および（ｂ）は、図３に示す共同閲覧システムにおけるテレビに表示される画像の別の例を示す模式図である。
【図９】図１に示すタブレット端末で実行される処理の流れの一例を示すフローチャートである。
【図１０】（ａ）および（ｂ）は、図１に示すタブレット端末のタッチパネルに表示される画像の別の例を示す模式図である。
【図１１】図３に示す共同閲覧システムにおけるテレビに表示される画像のさらに別の例を示す模式図である。
【図１２】本発明の他の実施形態に係るタブレット端末の要部構成を示す機能ブロック図である。
【図１３】本発明のさらに他の実施形態に係る共同閲覧システムの構成の別の例を示す概略図である。
【発明を実施するための形態】
【００１４】
以下、本発明の実施の形態について、詳細に説明する。以下で説明する実施形態では、本発明の入力装置をタブレット端末に適用した例を説明する。なお、適用例はタブレット端末に限定されず、他のユーザとコミュニケーションを図るためのコミュニケーション画像に対する処理を実行するための入力操作を受け付ける入力装置であれば、本発明を適用可能である。例えば、スマートフォン、携帯電話などに適用することが可能である。また、説明の便宜上、各実施形態に示した部材と同一の機能を有する部材については、同一の符号を付し、適宜その説明を省略する。さらに、各図面に記載した構成の形状、並びに、長さ、大きさおよび幅などの寸法は、実際の形状や寸法を反映したものではなく、図面の明瞭化と簡略化のために適宜変更している。
【００１５】
〔実施形態１〕
本発明の一実施形態において、図１から図９に基づいて説明すれば以下のとおりである。
【００１６】
（タブレット端末の機能概要）
まず、図１および図５を参照して、本発明に係るタブレット端末１の機能概要について説明する。図１は、タブレット端末１の要部構成の一例を示すブロック図である。また、図５は、テレビ２に表示される画面の一例を示す模式図である。
【００１７】
本発明に係るタブレット端末１は、図１に示すように、通信ネットワークを介した複数のユーザによるコンテンツの閲覧およびコミュニケーションを可能にする共同閲覧システムにおいて、他のユーザとコミュニケーションを図るためのコミュニケーション画像に対する処理を示すコミュニケーション情報を送信する通信部１５を備えるタブレット端末であって、自装置または自装置の周囲の状態を特定する状態取得部１２と、上記状態取得部１２による特定結果に対応付けられた上記コミュニケーション情報を特定する表示指示決定部１３４と、を備える。
【００１８】
すなわち、本発明に係るタブレット端末１が、自装置もしくは自装置の周囲の状態に対応付けられたコミュニケーション情報を送信することで、図５に示すテレビ２の表示部２１に表示されたコミュニケーション画像に対する処理が実行される。
【００１９】
例えば、タブレット端末１を把持している状態を特定し、当該状態を示すような表示内容に、コミュニケーション画像を変化させることができる。具体的には、図５に示すコミュニケーション領域７２に表示されるアバター７３の表示を変化させる。図５の例では、アバター７３ｂおよびアバター７３ｃが、タブレット端末１を把持している状態を示す表示（両手を上げた表示）となっている。なお、「アバター７３」は、図５に示すアバター７３ａからアバター７３ｃを総称した呼称であり、他の図面を参照する場合においても、この呼称を用いる場合がある。なお、テレビ２に表示されるコミュニケーション画像は、ユーザを一義的に識別できるものであれば、アバター７３に限定されない。例えば、ユーザ名のみを表示してもよいし、アイコン、カラーボールなどの画像を表示してもよい。また、アバター７３の顔の部分に、タブレット端末１のカメラ１２４（図２）を用いて撮影した写真を貼り付けるものであってもよい。
【００２０】
これにより、共同閲覧システムを使用しているユーザは、意識的な入力操作を行わなくても、他のユーザに対して自分の状況（例えば、タブレット端末１を把持している状況）を伝えることができる。
【００２１】
また例えば、タッチパネル１１に対して簡易な入力操作を行うことで、コミュニケーション画像を変化させたり、コンテンツ７１やコミュニケーション領域７２にポインタ７４を表示させたりすることができる。コミュニケーション画像を変化させる具体例としては、タッチパネル１１に対して簡易な入力操作を行うことで、図５に示すアバター７３ｂにおいて発言７５を表示させたり、アバター７３ｃにおいてリモコンを表示させて、コンテンツを変更しようとしていることを知らせたりすることができる。
【００２２】
以上により、共同閲覧システムを使用しているユーザは、タブレット端末１に対して煩雑な入力操作を行わなくても他のユーザとコミュニケーションを図ることができる。また、煩雑な入力操作を必要としないので、コンテンツの閲覧および他のユーザとのコミュニケーションを同時に楽しむことができる。
【００２３】
なお、上記コミュニケーション領域７２は、複数のユーザによるチャットを行う領域に限定されるものではない。すなわち、上記コミュニケーション領域７２は、複数のユーザによるコミュニケーションが可能な領域であればよく、例えば、コンテンツ７１として音楽番組を表示した状態で、コミュニケーション領域７２においてコンテンツ７１に合わせて音楽を演奏するゲームを、通信ネットワークを介した複数のユーザで実施してもよい。
【００２４】
（共同閲覧システムの構成）
次に、図３を参照して、本実施形態における共同閲覧システム１００の構成について説明する。図３は、本実施形態における共同閲覧システム１００の構成を示す図である。
【００２５】
図３に示すように、本実施形態における共同閲覧システム１００は、少なくとも、タブレット端末１ａ、タブレット端末１ｂ、テレビ２ａ、およびルータ４ａからなるサブシステム１０１ａ、タブレット端末１ｃ、テレビ２ｂ、ルータ４ｂからなるサブシステム１０１ｂ、並びにサーバ３（処理装置）を含んでいる。なお、以降、タブレット端末１ａ、タブレット端末１ｂ、タブレット端末１ｃを総称して、「タブレット端末１」と呼称する場合がある。また同様に、テレビ２ａおよびテレビ２ｂを「テレビ２」と、ルータ４ａおよびルータ４ｂを「ルータ４」と、サブシステム１０１ａおよびサブシステム１０１ｂを「サブシステム１０１」と呼称する場合がある。
【００２６】
タブレット端末１およびテレビ２は、ルータ４によりインターネットなどの広域通信網を介して外部との通信が可能である。これにより、サブシステム１０１とサーバ３とが、互いに通信可能に接続される。
【００２７】
タブレット端末１は、共同閲覧システム１００における入力装置であり、テレビ２は、共同閲覧システム１００における表示装置である。また、サーバ３は、各サブシステム１０１のタブレット端末１から送信される、テレビ２に表示されるコンテンツ、または、他のユーザとコミュニケーションを図るためのコミュニケーション画像（表示画像）に対する処理を指示する情報（指示情報）を受信し、表示画像に対する処理を実行する。そして、当該処理を実行した表示画像をテレビ２に送信し、表示させる。なお、上記指示情報は、タブレット端末１からに加え、テレビ２から送信されてもよい。
【００２８】
すなわち、上記指示情報は、タブレット端末１からルータ４を介してサーバ３に送信される。そして、指示情報に基づいて表示画像に対する処理を実行する。その後、サーバ３は処理を実行した表示画像を各サブシステム１０１に送信する。その結果、テレビ２に処理が実行された表示画像が表示される。例えば、サーバ３が指示情報に基づいて表示画像を生成し、テレビ２に生成した表示画像を送信する。これにより、テレビ２に表示されているアバター７３のポーズが変わったり、アバター７３の発言が表示されたりする。よって、共同閲覧システム１００のユーザは共通のコンテンツを閲覧しながら、コミュニケーションを図ることができる。また例えば、サーバ３は指示情報をテレビ２に送信し、テレビ２が指示情報に基づいて表示画像を生成、表示してもよい。この場合、表示画像を生成するために必要な素材データはサーバ３が有し、テレビ２は、必要に応じてサーバ３から当該素材データを取得する。
【００２９】
なお、図３に示すサブシステム１０１の構成は一例であり、サブシステム１０１を構成するタブレット端末１およびテレビの数が変更されてもよいし、タブレット端末１以外の入力装置やテレビ２以外の表示装置であってもよい。また、タブレット端末１が入力装置および表示装置を兼ねてもよく、その場合、サブシステム１０１がテレビ２を含まなくてもよい。
【００３０】
また、図３では、タブレット端末１とテレビ２とが同じルータ４を介して通信する構成としているが、この例に限定されるものではない。例えば、タブレット端末１は携帯電話回線を経由してインターネットにアクセスする構成であってもよいし、テレビ２のみがインターネットを介して外部と通信可能な構成であり、タブレット端末１は、テレビ２を介して外部（例えばサーバ３）と通信可能な構成であってもよい。すなわち、この場合のタブレット端末１は、テレビ２のみと通信する構成である。
【００３１】
（タブレット端末の構成）
次に、図１および図２を参照して、タブレット端末１の要部構成について説明する。図１は、上述したように、タブレット端末１の要部構成の一例を示すブロック図であり、図２は、状態取得部１２の詳細を示すブロック図である。
【００３２】
図１に示すように、タブレット端末１は少なくとも、タッチパネル１１、状態取得部１２、制御部１３、記憶部１４、および通信部１５（送信部）を備えている。
【００３３】
タッチパネル１１は、入力部１１１および表示部１１２から構成されている。
【００３４】
入力部１１１は、ユーザによる入力操作を受け付ける入力デバイスである。なお、入力部１１１は、物理キーを含んでいてもよい。入力部１１１は、指示体（指またはペンなど）の接触（接近も含む）を受け付ける入力面と、指示体が入力面に接触したことを検知するとともに、入力面における指示体が接触した位置（座標）を検知するタッチセンサとで構成されている。タッチセンサは、指示体と入力面との接触／非接触を検知できればどのようなセンサで実現されていてもかまわない。例えば、圧力センサ、静電容量センサ、光センサなどで実現される。また、入力部１１１は検知した座標を後述する入力特定部１３１に出力する。
【００３５】
表示部１１２は、タブレット端末１が処理する情報を画像として表示領域に表示する表示デバイスである。具体的には、表示部１１２は、後述するタブレット表示制御部１３３によって処理された情報が表示される。タブレット表示制御部１３３によって処理された情報の一例としては、表示部１１２は入力操作を受け付けるための１つ以上のユーザインターフェースを表示する。表示部１１２は、例えば、ＬＣＤ（液晶ディスプレイ）などの表示デバイスで構成される。
【００３６】
状態取得部１２は、自装置または自装置の周囲の状態を特定するための特定情報を取得するものである。図２に示すように、状態取得部１２は一例として、加速度センサ１２１（加速度取得部）、照度センサ１２２（照度取得部）、位置情報取得部１２３、カメラ１２４（撮影部）、マイク１２５（音声取得部）、地磁気センサ１２６（方向／傾き取得部）を含んでいる。
【００３７】
加速度センサ１２１は、タブレット端末１に生じる加速度を取得するセンサである。加速度センサ１２１としては、タブレット端末に一般的に搭載されている、既存の加速度センサを用いることができる。
【００３８】
照度センサ１２２は、タブレット端末１の周囲の照度を取得するセンサである。照度センサ１２２としては、タブレット端末に一般的に搭載されている、既存の照度センサを用いることができる。
【００３９】
位置情報取得部１２３は、タブレット端末１の位置情報を取得するものである。位置情報取得部１２３としては、タブレット端末に一般的に搭載されているＧＰＳなどを用いてもよいし、その他の部材であってもよい。例えば、タブレット端末１およびテレビ２が無線通信（Ｗｉ−Ｆｉ（登録商標）など）によってインターネットなどの広域通信網を利用できる構成である場合、位置情報取得部１２３は、タブレット端末１およびテレビ２のルータ４に対する位置関係を取得するものであってもよい。なお、無線通信を利用したタブレット端末１およびテレビ２のルータ４に対する位置関係の取得は、既存の技術を用いることができる。
【００４０】
カメラ１２４は、タブレット端末の周囲を撮影する撮影デバイスである。カメラ１２４としては、タブレット端末に一般的に搭載されている、既存のカメラを用いることができる。なお、カメラ１２４は、静止画像を撮影するものであってもよいし、動画を撮影するものであってもよい。また、静止画像および動画の両方を撮影可能であってもよい。
【００４１】
マイク１２５は、タブレット端末１の周囲の音声を取得するものである。マイク１２５としては、タブレット端末に一般的に搭載されている、既存のマイクを用いることができる。
【００４２】
地磁気センサ１２６は、タブレット端末１の向きおよび傾きを取得するセンサである。地磁気センサ１２６としては、タブレット端末に一般的に搭載されている、既存の地磁気センサを用いることができる。
【００４３】
なお、状態取得部１２は、図２に示す部材を全て含まなくてもよい。また、図２に示す部材以外の部材を含んでいてもよい。つまり、状態取得部１２は、自装置または自装置の周囲の状態を特定するための特定情報を取得できる部材であれば、どのような部材を含んでもよい。
【００４４】
また、上記状態取得部１２は、上述のような特定情報を取得できる部材が取得した特定情報を後述する制御部１３内の状態特定部１３２に出力する。
【００４５】
制御部１３は、タブレット端末１が備える各部を統括制御するものである。制御部１３は、少なくとも、入力特定部１３１、状態特定部１３２、タブレット表示制御部１３３（表示内容決定部）、および表示指示決定部１３４（コミュニケーション情報特定部）と、を含んでいる。
【００４６】
入力特定部１３１は、入力部１１１が受け付けた入力操作を特定するものである。具体的には、入力特定部１３１は、上記入力操作における座標、指示体が接触していた時間、および接触した指示体の移動方向などに基づいて当該入力操作を特定する。そして、特定した入力操作に応じて、タブレット表示制御部１３３または表示指示決定部１３４が実行する処理を指示する。
【００４７】
状態特定部１３２は、タブレット端末１またはタブレット端末１の周囲の状態を特定するものである。具体的には、状態特定部１３２は、状態取得部１２が取得したタブレット端末１またはタブレット端末１の周囲の状態を特定するための特定情報を供給されると、供給された特定情報に応じたタブレット端末１またはタブレット端末１の周囲の状態を特定する。そして、表示指示決定部１３４に対して、特定結果に応じて実行する処理を指示する。
【００４８】
例えば、状態特定部１３２は、地磁気センサ１２６からタブレット端末１の向きおよび傾きを供給されると、当該向きおよび傾きが、ユーザがタブレット端末１を把持している場合に得られると推定される向きおよび傾きの範囲内であるか否かを特定する。なお、ユーザがタブレット端末１を把持しているか否かは、加速度センサ１２１から供給されるタブレット端末１に生じた加速度から特定してもよい。この場合、状態特定部１３２は、当該加速度が、ユーザがタブレット端末１を把持している場合に生じる加速度と推定される範囲内の加速度であるか否かを特定する。
【００４９】
また、例えば、状態特定部１３２は、照度センサ１２２から、タブレット端末１の周囲の照度を供給されると、当該照度が、所定の値を超えるか否かを特定する。
【００５０】
また、例えば、状態特定部１３２は、位置情報取得部１２３から、タブレット端末１の位置情報を供給されると、当該位置情報に基づいて、タブレット端末１とテレビ２との位置関係を特定する。
【００５１】
なお、状態特定部１３２が特定するタブレット端末１またはタブレット端末１の周囲の状態は、上記の例に限定されない。例えば、カメラ１２４が撮影した画像（映像）にタブレット端末１のユーザが写っているか否かを特定してもよいし、マイク１２５によって取得された音声に基づいて、タブレット端末１の周囲の環境を特定してもよい。
【００５２】
これにより、ユーザはタブレット端末１に対して、意識的な入力操作を行わなくても、他のユーザに対して自分の状況を伝えることができる。
【００５３】
また、状態特定部１３２は、ユーザが行った意識的な動作を特定してもよい。例えば、状態特定部１３２は、地磁気センサ１２６から、タブレット端末１の向きおよび傾きを供給されると、供給された向きおよび傾きの値を図示しない一時記憶部に一時的に保存する。そして、次に得られる値との差分を取ることで、端末の回転速度を得ることができる。これにより、ユーザがタブレット端末１を振ったか否かを特定することができる。なお、ユーザがタブレット端末１を振ったか否かは、加速度センサ１２１から供給された、タブレット端末１に生じた加速度によって特定してもよい。
【００５４】
また、例えば、状態特定部１３２は、地磁気センサ１２６から、タブレット端末１の向きおよび傾きを供給されると、当該向きおよび傾きから、タブレット端末１のタッチパネル１１を有する面が、地面に最も近い面となるようにテーブルや床などに置かれているか否かを特定してもよい。
【００５５】
また、例えば、状態特定部１３２は、位置情報取得部１２３から、タブレット端末１の位置情報を供給されると、当該位置情報に基づいて、タブレット端末１とテレビ２とが所定距離以上離れたか否かを特定してもよい。
【００５６】
タブレット表示制御部１３３は、表示部１１２に表示する画像を決定するものである。具体的には、タブレット表示制御部１３３は、入力特定部１３１からの指示に応じて、記憶部１４の後述する表示画像格納部１４１からユーザインターフェースなどの画像データを読み出す。そして、読み出した画像データから表示部１１２に表示するタブレット表示画像を生成し、表示部１１２に表示させる。
【００５７】
表示指示決定部１３４は、入力特定部１３１または状態特定部１３２による特定結果に対応付けられた、他のユーザとコミュニケーションを図るためのコミュニケーション画像に対する処理を示すコミュニケーション情報を特定するものである。具体的には、表示指示決定部１３４は、入力特定部１３１または状態特定部１３２からの特定結果に対応する上記コミュニケーション情報を、記憶部１４の後述する表示指示格納部１４２から読み出す。そして、読み出したコミュニケーション情報を、通信部１５を介して外部（サーバ３）に送信する。
【００５８】
記憶部１４は、タブレット端末にて使用される各種データを記憶する記憶デバイスである。図１に示すように、記憶部１４は、表示画像格納部１４１および表示指示格納部１４２を含む。
【００５９】
表示画像格納部１４１は、タブレット端末１の表示部１１２に表示する表示画像のデータを格納している。タブレット表示制御部１３３は、入力特定部１３１からの指示に応じて、表示画像格納部１４１から画像データを読み出し、表示部１１２に表示する表示画像を生成する。
【００６０】
表示指示格納部１４２は、入力特定部１３１が特定した入力操作および状態特定部１３２が特定したタブレット端末１およびタブレット端末１の周囲の状態を示す情報（特定結果）と、他のユーザとコミュニケーションを図るためのコミュニケーション画像に対する処理を示すコミュニケーション情報とを対応付けて記憶している。表示指示決定部１３４は、入力特定部１３１または状態特定部１３２から特定結果に基づく指示を供給されると、表示指示格納部１４２から、当該特定結果に対応付けられた上記コミュニケーション情報を読み出し、通信部１５を介して外部（サーバ３）に送信する。
【００６１】
通信部１５は、タブレット端末１の外部と情報の送受信を行うための通信デバイスである。具体的には、通信部１５は、他のユーザとコミュニケーションを図るためのコミュニケーション画像に対する処理を示すコミュニケーション情報を、サーバ３に送信する。
【００６２】
（入力操作によるコミュニケーション情報の特定）
次に、図４および図５を参照して、タブレット端末１のタッチパネル１１による入力操作の詳細について説明する。図４は、タッチパネル１１（表示部１１２）に表示される画像（タブレット表示画像）の一例を示す模式図である。
【００６３】
図４の（ａ）は、ユーザがテレビ２に表示されたコンテンツを閲覧しながら、他のユーザとコミュニケーションを図る場合に表示するコミュニケーションタブ５０を示す図である。コミュニケーションタブ５０は、メッセージ入力領域５１、アバター＆ポインタ操作領域５２、および定型文入力領域５３を含む。なお、図４の（ａ）は一例であり、コミュニケーションタブ５０は図４の（ａ）の構成に限定されるものではない。
【００６４】
メッセージ入力領域５１は、図５に示す発言７５を入力するための領域である。メッセージ入力領域５１は、テキスト入力領域５１１および送信ボタン５１２を含む。これにより、例えば、入力特定部１３１は、ユーザがアバター７３に発言させたい言葉をテキスト入力領域５１１に入力するための入力操作を特定する。そして、タブレット表示制御部１３３は入力特定部１３１からの指示を受けて、ユーザが入力した言葉を表示部１１２に表示させる。また、入力特定部１３１は、送信ボタン５１２をタップする入力操作を特定する。そして、表示指示決定部１３４は入力特定部１３１からの指示を受けて、テキスト入力領域５１１に入力された言葉を含む発言７５を表示するためのコミュニケーション情報を特定し、通信部１５を介してサーバ３に送信する。換言すれば、ユーザがテキスト入力領域５１１に文字を入力し、送信ボタン５１２に対するタップ操作を行うことで、テレビ２に表示されたアバター７３が入力された文字を発言する（例えば、図５のアバター７３ｂのように、アバター７３の近傍に発言７５が表示される）。
【００６５】
アバター＆ポインタ操作領域５２は、図５に示すアバター７３およびポインタ７４を操作するための領域である。アバター＆ポインタ操作領域５２は、アバター＆ポインタ移動領域５２１およびアバター動作領域５２２を含む。これにより、例えば、入力特定部１３１は、アバター＆ポインタ移動領域５２１におけるユーザのドラッグ操作を特定する。そして、表示指示決定部１３４は入力特定部１３１からの指示を受けて、テレビ２にポインタ７４を表示するためのコミュニケーション情報を特定し、通信部１５を介してサーバ３に送信する。また、例えば、ポインタ７４を表示するためのコミュニケーション情報を特定し、送信した後、入力特定部１３１がアバター＆ポインタ移動領域５２１におけるユーザのドラッグ操作を特定した場合、表示指示決定部１３４は入力特定部１３１からの指示を受けて、テレビ２にポインタ７４を当該ドラック操作に合わせて移動させるためのコミュニケーション情報を特定し、通信部１５を介してサーバ３に送信する。換言すれば、ユーザがアバター＆ポインタ移動領域５２１でドラッグ操作を行うことで、テレビ２にポインタ７４が表示される。その状態で、さらにユーザがアバター＆ポインタ移動領域５２１でドラッグ操作を行うことで、テレビ２に表示されたポインタ７４が移動する。
【００６６】
これにより、ユーザはテレビ２の画面上の任意の位置をポインタ７４で指し示すことができる。例えば、コンテンツ７１中の内容を他のユーザに質問したい場合に、コンテンツ７１中の任意の位置にポインタ７４を移動させた状態で、アバター７３に「これなに？」と発言させることで、ポインタ７４を、他のユーザに発言の意図を理解させるための補助として使用することができる。
【００６７】
なお、表示指示決定部１３４は、タッチパネル１１（入力部１１１）に対して、所定の時間（例えば１５秒程度）ポインタ７４を操作するための入力操作がされなかった場合、換言すれば、入力特定部１３１から所定の時間ポインタ７４の表示を変更するための指示を受けなかった場合に、ポインタ７４をテレビ２の画面から消去するコミュニケーション情報を特定してもよい。
【００６８】
また、例えば、ポインタ７４を表示するためのコミュニケーション情報を特定し、送信した後、入力特定部１３１がアバター＆ポインタ移動領域５２１におけるユーザのタップ操作を特定した場合、表示指示決定部１３４は入力特定部１３１からの指示を受けて、ポインタ７４が示す位置にユーザ自身のアバター７３を移動させるためのコミュニケーション情報を特定し、通信部１５を介してサーバ３に送信する。換言すれば、テレビ２にポインタ７４が表示された状態で、ユーザがアバター＆ポインタ移動領域５２１でタップ操作を行うことで、ポインタ７４が示す位置にユーザ自身のアバター７３が移動する。なお、本実施形態では、アバター７３が移動できる領域は図５に示すコミュニケーション領域７２に限定されている。そのため、ポインタ７４がコミュニケーション領域７２以外にある状態で、アバター＆ポインタ移動領域５２１でタップ操作が実行されても、アバター７３はポインタ７４が示す位置には移動しない。具体的には、サーバ３がアバター７３を移動させるためのコミュニケーション情報を受信したとき、ポインタ７４がコミュニケーション領域７２にあるか否かを特定する。そして、ポインタ７４がコミュニケーション領域７２に無い場合は、受信したコミュニケーション情報が示す処理（アバター７３をポインタ７４が示す位置に移動させる処理）を実行せず、当該処理を終了する。
【００６９】
なお、アバター＆ポインタ移動領域５２１とコミュニケーション領域７２とが対応付けられていてもよい。すなわち、入力特定部１３１は、アバター＆ポインタ移動領域５２１におけるユーザのタップ操作を特定する。表示指示決定部１３４は入力特定部１３１からの指示を受けて、タップ操作された位置と対応付けられたコミュニケーション領域７２の位置にアバター７３を移動させるためのコミュニケーション情報を特定し、通信部１５を介してサーバ３に送信してもよい。これにより、ユーザはアバター＆ポインタ移動領域５２１に対するタップ操作を行うだけで、ポインタ７４を表示させなくともアバター７３の位置を移動させることができる。
【００７０】
また、例えば、入力特定部１３１は、アバター動作領域５２２の各ボタンに対するタップ操作を特定する。そして、表示指示決定部１３４は入力特定部１３１からの指示を受けて、タップ操作されたボタンに応じた動作（例えば「ジャンプする」、「ダンスする」など）をアバター７３に実行させるためのコミュニケーション情報を特定し、通信部１５を介してサーバ３に送信する。換言すれば、ユーザがアバター動作領域５２２のボタンに対するタップ操作を行うことで、テレビ２に表示されたアバター７３がタップ操作されたボタンに応じた動作を実行する。
【００７１】
定型文入力領域５３は、定型文ボタン領域５３１を含む。これにより、例えば、入力特定部１３１は、定型文ボタン領域５３１の各ボタンに対するタップ操作を特定する。そして、表示指示決定部１３４は入力特定部１３１からの指示を受けて、タップ操作されたボタンに応じた発言をアバター７３に実行させるためのコミュニケーション情報を特定し、通信部１５を介してサーバ３に送信する。換言すれば、ユーザが定型文ボタン領域５３１のボタンに対するタップ操作を行うことで、テレビ２に表示されたアバター７３がタップ操作されたボタンに応じた文字を発言する。
【００７２】
図４の（ｂ）は、ユーザがテレビ２に表示されたコンテンツを変更したい場合に表示するコンテンツ変更タブ６０を示す図である。コンテンツ変更タブ６０は、コンテンツ変更領域６１を含む。なお、図４の（ｂ）は一例であり、コンテンツ変更タブ６０は図４の（ｂ）の構成に限定されるものではない。また、図４の（ｂ）では、コンテンツをテレビ番組などの映像として説明しているが、コンテンツは映像に限定されず、例えば、ブラウザや写真などの画像であってもよい。
【００７３】
入力特定部１３１は、コンテンツ変更タブ６０を表示するための入力操作（例えば、図４の「チャンネルを変える」が表示された領域へのタップ操作）を特定する。そして、表示指示決定部１３４は入力特定部１３１からの指示を受けて、ユーザがコンテンツ変更タブ６０を表示したことを示すように、アバター７３の表示を変更するためのコミュニケーション情報を特定し、通信部１５を介してサーバ３に送信する。換言すれば、ユーザがコンテンツ変更タブ６０を表示するためのタップ操作を行うことで、テレビ２に表示されたアバター７３の表示が変更される（例えば、図５に示すように、アバター７３ｃの近傍にリモコンが表示される）。これにより、ユーザは他のユーザに対して、閲覧しているコンテンツを変更しようとしている状態であることを知らせることができる。なお、コンテンツの変更を示す画像は、図５に示すアバター７３の近傍にリモコンが表示される画像に限定されるものではない。すなわち、ユーザがコンテンツを変更しようとしていることが他のユーザに伝わるような画像であればよい。
【００７４】
コンテンツ変更領域６１は、コンテンツボタン領域６１１を含む。これにより、例えば、入力特定部１３１は、コンテンツボタン領域６１１の各ボタンに対するタップ操作を特定する。そして、表示指示決定部１３４は入力特定部１３１からの指示を受けて、タップ操作されたボタンに応じたコンテンツをテレビ２に表示させるためのコミュニケーション情報を特定し、通信部１５を介してサーバ３に送信する。換言すれば、ユーザはコンテンツボタン領域６１１のボタンに対するタップ操作を行うことで、自身が閲覧するコンテンツを変更することができる。
【００７５】
なお、コンテンツ変更領域６１は、コンテンツを検索するための検索ワード入力領域（不図示）を含んでいてもよい。これにより、ユーザは、検索ワード入力領域にコンテンツに関する単語などを入力することで、望みのコンテンツを検索することができる。具体的には、入力特定部１３１は、検索ワード入力領域に対する入力操作（検索ワードの入力）を特定すると、図示しない検索部に対して、当該検索ワードと関連性が高いコンテンツを検索するよう指示する。なお、検索可能なコンテンツは特に限定されず、タブレット端末１内のコンテンツ、サーバ３内のコンテンツ、また、インターネットを介して取得可能なコンテンツ（例えば、動画投稿サイトに投稿された動画など）が挙げられる。検索結果は、タブレット表示制御部１３３によって表示部１１２に表示される。例えば、検索結果はユーザが選択可能なように表示部１１２に表示され、ユーザは当該検索結果に対する入力操作（例えばタップ操作）を行うことで、当該検索結果に対応するコンテンツを選択することができる。
【００７６】
（状態の取得によるコミュニケーション情報の特定）
次に、図６から図８を参照して、タブレット端末１およびタブレット端末１の周囲の状態を取得することによる入力操作の詳細について説明する。図６は、地磁気センサ１２６による状態の取得および状態の取得によるアバターの表示変化を示す模式図であり、図７は、照度センサ１２２による状態の取得およびアバターの表示変化を示す模式図であり、図８は、位置情報取得部１２３による状態の取得およびアバターの表示変化を示す模式図である。
【００７７】
まず、地磁気センサ１２６による状態取得の結果を用いた入力操作について説明する。図６の（ａ）に示すように、ユーザＡはタブレット端末１ａを把持せずに共同閲覧システム１００に参加している。一方、ユーザＢはタブレット端末１ｂを把持した状態で共同閲覧システム１００に参加している。なお、ユーザＡのアバターはアバター７３ａであり、ユーザＢのアバターはアバター７３ｂである。また、アバター７３ｃは、タブレット端末１ａおよびタブレット端末１ｂとは異なるサブシステム（図６（ａ）には不図示）に含まれるタブレット端末１ｃのユーザのアバターである。
【００７８】
タブレット端末１ａおよびタブレット端末１ｂに備えられている状態特定部１３２は、地磁気センサ１２６が取得したタブレット端末１の向きおよび傾きから、タブレット端末１ａおよびタブレット端末１ｂが把持されているか否かを特定する。図６の場合、タブレット端末１ａの状態特定部１３２は、タブレット端末１ａが把持されていないことを特定する。そして、表示指示決定部１３４は、タブレット端末１ａが把持されていない状態を示すように、アバター７３ａを表示するためのコミュニケーション情報を特定し、通信部１５を介してサーバ３に送信する。そして、サーバ３は、受信したコミュニケーション情報に基づいて、テレビ２に表示させる画像を生成し、テレビ２に送信する。その結果、当該画像がテレビ２に表示される。具体的には、図６の（ｂ）に示すように、アバター７３ａが両手を下げている画像がテレビ２に表示される。これにより、共同閲覧システム１００に参加しているユーザは、アバター７３ａのユーザがタブレット端末１を把持していないことを知ることができる。
【００７９】
一方、タブレット端末１ｂの状態特定部１３２は、タブレット端末１ｂが把持されていることを特定する。そして、表示指示決定部１３４は、タブレット端末１ｂが把持されている状態を示すように、アバター７３ｂを表示するためのコミュニケーション情報を特定し、通信部１５を介してサーバ３に送信する。以降のサーバ３およびテレビ２の処理は上述したタブレット端末１ａにおける処理と同様である。以上の結果、図６の（ｂ）に示すように、アバター７３ｂが両手を上げている画像がテレビ２に表示される。これにより、共同閲覧システム１００に参加しているユーザは、アバター７３ｂのユーザがタブレット端末１を把持していることを知ることができる。
【００８０】
以上より、共同閲覧システム１００に参加しているユーザは、ユーザＢとはコミュニケーションを取ることが可能であると知ることができる。すなわち、ユーザＢは、タブレット端末１を用いた意識的な入力操作を行わなくても、他のユーザに自信がコミュニケーション可能であることを知らせることができる。
【００８１】
なお、タブレット端末１を把持しているか否かを示すアバター７３の表示は、図６の（ｂ）の例に限定されない。すなわち、アバター７３の表示は、タブレット端末１が把持されているか否かを区別できるような表示であればよい。例えば、タブレット端末１が把持されている場合、アバター７３がダンスするような表示にしてもよい。
【００８２】
また、状態特定部１３２は、加速度センサ１２１が取得した加速度からタブレット端末１が把持されているか否かを特定してもよい。
【００８３】
次に、照度センサ１２２による状態取得の結果を用いた入力操作について説明する。図７の（ａ）に示すように、ユーザＣは、タブレット端末１を把持せずに共同閲覧システム１００に参加している。さらに、ユーザＣは自身の部屋を暗くした状態で共同閲覧システム１００に参加している。なお、ユーザＣのアバターはアバター７３ｃである。
【００８４】
タブレット端末１ｃに備えられている状態特定部１３２は、照度センサ１２２が取得した照度から、タブレット端末１ｃの周囲の照度が所定の値を超えるか否かを特定する。図７の場合、タブレット端末１ｃの状態特定部１３２は、タブレット端末１ｃの周囲の照度が所定の値を超えないことを特定する。そして、表示指示決定部１３４は、タブレット端末１ｃの周囲が暗い状態であることを示すように、アバター７３ｃを表示するためのコミュニケーション情報を特定し、通信部１５を介してサーバ３に送信する。以降のサーバ３およびテレビ２の処理は上述したタブレット端末１ａにおける処理と同様である。以上の結果、図７の（ｂ）に示すように、アバター７３ｃが眠っているような画像がテレビ２に表示される。これにより、共同閲覧システム１００に参加しているユーザは、アバター７３ｃのユーザの周囲が暗いことを知ることができる。
【００８５】
なお、タブレット端末１の周囲が暗いことを示すアバター７３の表示は、図７の（ｂ）の例に限定されない。すなわち、アバター７３の表示は、タブレット端末１の周囲が暗いか否かを区別できるような表示であればよい。例えば、アバター７３の周囲の所定の領域を暗くするような表示にしてもよい。
【００８６】
次に、位置情報取得部１２３による状態取得の結果を用いた入力操作について説明する。ユーザＡおよびユーザＢとテレビ２ａとの位置関係、並びにユーザＣとテレビ２ｂとの位置関係はそれぞれ、図６の（ａ）および図７の（ａ）に示す状態であるとする。
【００８７】
状態特定部１３２は、位置情報取得部１２３が取得したタブレット端末１の位置情報に基づいて、タブレット端末１とテレビ２との位置関係を特定する。例えば、タブレット端末１ａおよびタブレット端末１ｂは、テレビ２ａとの位置関係を特定する。そして、表示指示決定部１３４は、タブレット端末１とテレビ２との位置関係を、アバター７３とコンテンツ７１との位置関係に反映させるように、アバター７３を表示するためのコミュニケーション情報を特定し、通信部１５を介してサーバ３に送信する。サーバ３は、各タブレット端末１から送信されたコミュニケーション情報に基づいて、コミュニケーション領域７２に各アバター７３を配置する画像を生成する。すなわち、各タブレット端末１と同じサブシステム１０１内のテレビ２との位置関係を、各アバター７３とコンテンツ７１との位置関係に反映させるように、各アバター７３をコミュニケーション領域７２に配置する。そして、生成した画像をテレビ２に送信する。その結果、図８の（ａ）に示すような画像がテレビ２に表示される。これにより、共同閲覧システム１００に参加しているユーザは、各ユーザがテレビ２に対してどの位置にいるのかを知ることができる。
【００８８】
なお、テレビ２に対するタブレット端末１の位置を反映させた表示は、図８の（ａ）の例に限定されない。例えば、図８の（ｂ）に示すように、サブシステム１０１ごとにコミュニケーション領域７２を分割した分割領域７６において、テレビ２に対するタブレット端末１の位置を反映させた表示としてもよい。これにより、共同閲覧システム１００に参加しているユーザは、どのユーザがどのサブシステム１０１に含まれるのかを知ることができる。
【００８９】
なお、状態の取得による入力操作は、図６から図８の例に限定されない。すなわち、状態特定部１３２は、（タブレット端末の構成）にて説明したような状態を特定し、表示指示決定部１３４は、特定した状態に応じたコミュニケーション情報を、通信部１５を介してサーバ３に送信してもよい。
【００９０】
例えば、サーバ３は、カメラ１２４が撮影した画像（映像）にタブレット端末１のユーザが写っていない場合に、当該ユーザのアバター７３を退出させてもよい。ここで、「退出」とは、テレビ２に表示される画像から、当該ユーザのアバター７３を削除することを示す。なお、以降についても「退出」をこの意味で使用する。
【００９１】
また、状態特定部１３２が、マイク１２５が取得した音声からタブレット端末１の周囲で音楽が鳴っていることを特定した場合、サーバ３は、タブレット端末１のユーザのアバター７３の周囲に音符を表示してもよい。また、マイク１２５が取得した音声からタブレット端末１が屋外にある場合に、サーバ３は、タブレット端末１のユーザのアバター７３の周囲を、屋外を示すように変更してもよい。
【００９２】
また、状態特定部１３２は、マイク１２５が取得した音声の音量が所定の値より大きいか否かを特定してもよい。そして、取得した音声の音量が所定の値より大きい場合に、サーバ３は、タブレット端末１のユーザのアバター７３の表示を、アバター７３がジャンプしているように変更してもよい。また、状態特定部１３２は、予め設定された複数の閾値を、取得した音声の音量が超えるか否かを特定してもよい。サーバ３は、超えた閾値に応じてアバター７３のジャンプの高さを段階的に変更させてもよい。
【００９３】
また、状態特定部１３２が、地磁気センサ１２６が取得したタブレット端末１の向きおよび傾きから、ユーザがタブレット端末１を振っていることを特定した場合に、サーバ３は、タブレット端末１のユーザのアバター７３の表示を、アバター７３がジャンプしているように変更してもよい。
【００９４】
また、状態特定部１３２が、地磁気センサ１２６が取得したタブレット端末１の向きおよび傾きから、タブレット端末１のタッチパネル１１を有する面が、地面に最も近い面となるようにテーブルや床などに置かれていることを特定した場合に、サーバ３は、タブレット端末１のユーザのアバター７３を退出させてもよい。
【００９５】
また、状態特定部１３２が、位置情報取得部１２３が取得したタブレット端末１の位置情報から、タブレット端末１とテレビ２とが所定以上離れたことを特定した場合に、サーバ３は、タブレット端末１のユーザのアバター７３を退出させてもよい。
【００９６】
（タブレット端末の処理フロー）
次に、図９を参照して、タブレット端末１が実行する処理の流れについて説明する。図９は、タブレット端末１が実行する処理の流れの一例を示すフローチャートである。
【００９７】
タッチパネル１１（入力部１１１）が、入力操作を受け付けた場合（Ｓ１でＹＥＳ）、入力特定部１３１は、当該入力操作を特定する（Ｓ２）。そして、入力特定部１３１は、特定した入力操作が、テレビ２に対する表示処理を行うための入力操作であるか否かを特定する（Ｓ３）。特定した入力操作が、テレビ２に対する表示処理を行うための入力操作であると特定した場合（Ｓ３でＹＥＳ）、入力特定部１３１は、表示指示決定部１３４が実行する処理を指示する。例えば、入力特定部１３１が、図４に示す定型文ボタン領域５３１のいずれかのボタンがタップ操作されたことを特定した場合、当該操作に対応するコミュニケーション情報を特定するように、表示指示決定部１３４に指示する。
【００９８】
表示指示決定部１３４は入力特定部１３１からの指示を受けて、コミュニケーション情報を特定する（Ｓ４）。具体的には、入力特定部１３１が特定した入力操作に対応付けられたコミュニケーション情報を表示指示格納部１４２から読み出す。例えば、タップ操作された定型文ボタン領域５３１のボタンが示す言葉を、アバター７３の近傍に表示するためのコミュニケーション情報を表示指示格納部１４２から読み出す。そして、表示指示決定部１３４は、特定したコミュニケーション情報を、通信部１５を介してサーバ３に送信する（Ｓ５）。
【００９９】
一方、入力特定部１３１が、テレビ２に対する表示処理を行うための入力操作ではないと特定した場合（Ｓ３でＮＯ）、入力特定部１３１は、タブレット端末１に対する表示処理を行うための入力操作であると特定する（Ｓ６）。そして、入力特定部１３１は、タブレット表示制御部１３３が実行する処理を指示する。例えば、入力特定部１３１が、図４に示すテキスト入力領域５１１へのテキスト入力操作を特定した場合、当該操作に対応する文字をテキスト入力領域５１１に表示するように、タブレット表示制御部１３３に指示する。
【０１００】
タブレット表示制御部１３３は入力特定部１３１からの指示を受けて、当該指示に基づく処理を実行し、実行結果を表示する（Ｓ７）。具体的には、タブレット表示制御部１３３は、表示画像格納部１４１から画像データを読み出し、表示部１１２に表示するタブレット表示画像を生成する。例えば、テキスト入力領域５１１にユーザが入力した文字が表示されたタブレット表示画像を生成し、表示部１１２に表示する。
【０１０１】
次に、状態取得部１２が取得した、自装置または自装置の周囲の状態を特定するための特定情報から、状態特定部１３２が、自装置の状態または周囲の状態を特定した場合（Ｓ８でＹＥＳ、状態特定ステップ）、特定した状態に対応するコミュニケーション情報を特定するように、表示指示決定部１３４に指示する。例えば、状態取得部１２に含まれる地磁気センサ１２６が取得したタブレット端末１の向きおよび傾きから、状態特定部１３２は、当該向きおよび傾きが、ユーザがタブレット端末１を把持している場合に得られると推定される向きおよび傾きの範囲内であるか否かを特定する。そして、ユーザがタブレット端末１を把持している場合に得られると推定される向きおよび傾きの範囲内であると特定した場合、ユーザがタブレット端末１を把持している状態に対応するコミュニケーション情報を特定するように、表示指示決定部１３４に指示する。
【０１０２】
表示指示決定部１３４は状態特定部１３２からの指示を受けて、コミュニケーション情報を特定する（Ｓ９、コミュニケーション情報特定ステップ）。具体的には、状態特定部が特定した状態に対応付けられたコミュニケーション情報を表示指示格納部１４２から読み出す。例えば、アバター７３の表示を、ユーザがタブレット端末１を把持していることを示す表示にするためのコミュニケーション情報を表示指示格納部１４２から読み出す。そして、表示指示決定部１３４は、特定したコミュニケーション情報を、通信部１５を介してサーバ３に送信する（Ｓ１０）。
【０１０３】
なお、ステップＳ８からステップＳ１０では、所定の時間、自装置の状態または周囲の状態が特定されなかった場合に、自装置の状態または周囲の状態が特定されなかったことと対応するコミュニケーション情報を特定し、サーバ３に送信してもよい。すなわち、状態取得部１２は図示しないタイマをさらに備え、当該タイマが所定の時間を測定した時点で自装置の状態または周囲の状態が特定されていない場合、状態取得部１２は、その旨を示す特定情報を状態特定部１３２に供給する。状態特定部１３２は、自装置の状態または周囲の状態が特定されなかったことと対応するコミュニケーション情報を特定するように表示指示決定部１３４に指示する。表示指示決定部１３４は状態特定部１３２からの指示を受けて、コミュニケーション情報を特定する。例えば、アバター７３を半透明表示にするためのコミュニケーション情報を特定し、通信部１５を介してサーバ３に送信する。これにより、所定の時間、自装置の状態または周囲の状態が特定されなかった場合は、テレビ２に表示されているアバター７３が半透明表示される。
【０１０４】
（実施形態１に係る発明の作用効果）
以上のように、実施形態１に係るタブレット端末１は、共同閲覧システム１００において、テレビ２に表示されるコミュニケーション画像（例えばアバター）に対する処理を実行するために、ユーザによる入力操作だけでなく、自装置または自装置の周囲の状態に基づいて、コミュニケーション情報を特定する。例えば、地磁気センサ１２６が特定した自装置の向きおよび傾きによって、ユーザが自装置を把持しているか否かを特定し、自装置を把持している場合には、ユーザが自装置を把持していることを示すコミュニケーション情報を特定する。
【０１０５】
これにより、ユーザが意識的な入力操作を行わなくても、自装置または自装置の周囲の状態に基づいて特定されたコミュニケーション情報が外部に送信され、コミュニケーション画像に対する処理が実行される。すなわち、ユーザが意識的な入力操作を行わなくても、他のユーザはコミュニケーション画像を見ることで、当該ユーザの状態を把握することができる。また、ユーザは意識的な入力操作を行わなくてもコミュニケーション画像に対する処理を実行することができるので、入力操作に気を取られてコンテンツの閲覧がおろそかになることがない。以上より、ユーザはコンテンツの閲覧と他のユーザとのコミュニケーションとを同時に楽しむことができる。
【０１０６】
また、ユーザによる入力操作に基づいてコミュニケーションを特定する場合、タッチパネル１１（表示部１１２）に表示されたユーザインターフェースに対する入力操作に応じたコミュニケーション情報を特定することができる。例えば、定型文ボタン領域５３１に配置されたボタンに対するタップ操作を特定し、タップ操作されたボタンに応じた発言をアバターに実行させるためのコミュニケーション情報を特定する。
【０１０７】
これにより、ユーザはユーザインターフェースに対して入力操作を行うだけで、コミュニケーション画像に対する処理を実行させることができる。すなわち、簡易な操作によってコミュニケーション画像に対する処理を実行させることができる。よって、入力操作に気を取られてコンテンツの閲覧がおろそかになることがないので、ユーザはコンテンツの閲覧と他のユーザとのコミュニケーションとを同時に楽しむことができる。
【０１０８】
さらに、他のユーザとのコミュニケーションにおいて音声を使用しないため、他のユーザの発言を聞き取れないといった状態を防ぐことができる。また、ユーザは聴覚をコンテンツから発せられる音声に集中させることができるので、ユーザは、コミュニケーションを図りながらも、コンテンツ（特に映像コンテンツ）の内容を理解しやすくなる。
【０１０９】
また、図５に示すように、本発明に係る共同閲覧システム１００では、コンテンツ７１の周辺にコミュニケーション画像（アバター７３）が表示される。これにより、コンテンツ７１およびアバター７３の一方にユーザが目線を移動させても、もう一方が視界に入るため、両方の内容を把握しやすい。よって、いずれかの閲覧がおろそかになるという状態を防ぐことができる。
【０１１０】
また、本実施形態では、コミュニケーション画像としてアバター７３を使用しているため、映像によるコミュニケーション（例えばビデオチャット）のように、他のユーザに見られたくない情報（自身の顔、部屋の様子など）が表示されることがないというメリットがある。なお、自身の顔の画像は表示してもよいが、部屋の様子を表示したくない場合などは、上述したように、アバター７３の顔の部分に、タブレット端末１のカメラ１２４（図２）を用いて撮影した写真を貼り付けるものであってもよい。
【０１１１】
（実施形態１の変形例１）
次に、実施形態１の一変形例について、図１０を参照して説明する。図１０は、タッチパネル１１（表示部１２）に表示される画像（タブレット表示画像）の一例を示す模式図である。
【０１１２】
図１０の（ａ）に示すように、定型文入力領域５３は、実施形態１にて説明した定型文ボタン領域５３１に代えて、心情入力領域５３２を含んでいてもよい。心情入力領域５３２は、「よい−わるい」などの反対語を両端に書いた直線、および、ユーザのドラッグ操作を受け付けて当該直線状を移動するスライダを１つ以上含んでいる。これにより、入力特定部１３１は、心情入力領域５３２のスライダに対するドラッグ操作を特定する。そして、表示指示決定部１３４は入力特定部１３１からの指示を受けて、スライダの位置に対応する定型文をアバター７３に発言させるためのコミュニケーション情報を特定し、通信部１５を介してサーバ３に送信する。換言すれば、ユーザはスライダに対してドラッグ操作を実行することによって、自身の心情を表す位置にスライダを移動させる。これにより、自身の心情に合った定型文を、テレビ２に表示されたアバター７３が発言する。すなわち、ユーザは自身の心情を直接テキスト入力することなく、他のユーザに伝えることができる。なお、直線の両端に書かれる反対語は、ユーザの心情を表すような言葉であればよく、図１０の（ａ）の例に限定されるものではない。
【０１１３】
また、図１０の（ｂ）に示すように、定型文入力領域５３は、心情入力領域５３３を含んでいてもよい。心情入力領域５３３は、「よい−わるい」、「たのしい−かなしい」などの反対語を縦軸および横軸の両端に配置した二次元領域であってもよい。これにより、例えば、入力特定部１３１は、心情入力領域５３３に対するタップ操作を特定する。そして、表示指示決定部１３４は入力特定部１３１からの指示を受けて、心情入力領域５３３のタップされた位置に対応する定型文をアバター７３に発言させるためのコミュニケーション情報を特定し、通信部１５を介してサーバ３に送信する。換言すれば、ユーザは心情入力領域５３３のうち、自身の心情に近い位置に対してタップ操作を実行する。これにより、自身の心情に合った定型文を、テレビ２に表示されたアバター７３が発言する。
【０１１４】
（実施形態１の変形例２）
次に、実施形態１の別の変形例について、図１１を参照して説明する。図１１は、テレビ２に表示される画像（表示画像）の一例を示す模式図である。
【０１１５】
実施形態１の表示画像と異なり、本変形例の表示画像は、コミュニケーション領域７２に代えて、コミュニケーション領域を分割した分割領域７７を含む。なお、分割領域７７とは、分割領域７７ａ、分割領域７７ｂ、および分割領域７７ｃを総称した呼称である。
【０１１６】
本変形例では、ユーザがどのようにコンテンツを閲覧しているかに応じて、アバター７３の表示位置を変更する。具体的には、サーバ３は、各タブレット端末１から送信される、発言を表示するためのコミュニケーション情報が、特定のユーザに対する発言７５を表示するためのコミュニケーション情報か否かを判別する。そして、当該コミュニケーション情報が、特定のユーザに対する発言を表示するためのコミュニケーション情報である場合、表示画像において、コミュニケーション情報を送信したユーザのアバター７３の近傍に特定のユーザに対する発言である発言７５を配置するとともに、アバター７３が分割領域７７ａにいない場合は、アバター７３および発言７５を分割領域７７ａに移動させる。
【０１１７】
一方、コミュニケーション情報が、特定のユーザに対する発言を表示するためのコミュニケーション情報ではない場合、表示画像において、コミュニケーション情報を送信したユーザのアバター７３の近傍に発言７５を配置するとともに、アバター７３が分割領域７７ｂにいない場合は、アバター７３および発言７５を分割領域７７ｂに移動させる。
【０１１８】
また、タブレット端末１から、発言７５を表示するためのコミュニケーション情報を所定時間受信しなかった場合、表示画像において、当該タブレット端末１のユーザのアバター７３を分割領域７７ｃに移動させる。
【０１１９】
すなわち、分割領域７７は以下のように表現できる。分割領域７７ａは、他のユーザとコミュニケーションを取っているユーザのアバター７３が配置される領域である。また、分割領域７７ｂは、発言している（タブレット端末１を、発言７５を表示するために操作している）が、他のユーザとコミュニケーションを取っていないユーザのアバター７３が表示される領域である。また、分割領域７７ｃは、タブレット端末１を操作していないユーザのアバターが表示される領域である。
【０１２０】
これにより、ユーザは、他のユーザがコミュニケーションを図れるユーザであるか否かを簡単に特定することができる。例えば、ユーザは、分割領域７７ａにアバター７３が配置されているユーザとは、積極的にコミュニケーションを図れる可能性が高いと認識できる。一方、分割領域７７ｃにアバター７３が配置されているユーザとは、コミュニケーションを図れる可能性が低いと認識できる。
【０１２１】
この構成は、多数のユーザが同じコンテンツを閲覧している場合、換言すれば、表示画像内に多数のアバター７３が表示されている場合に好適である。
【０１２２】
（実施形態１の変形例３）
次に、実施形態１のさらに別の変形例について、図１、図３および図４を参照して説明する。実施形態１では、定型文ボタン領域５３１に表示される定型文ボタンは、タブレット表示制御部１３３が表示画像格納部１４１から読み出したデータに基づいて生成する構成であった。一方、本変形例では、タブレット表示制御部１３３が通信部１５を介して外部から取得したデータに基づいて定型文ボタンの画像を生成する構成である。
【０１２３】
具体的には、サーバ３は、テレビ２に表示しているコンテンツ７１の内容を特定する。例えば、コンテンツ７１がテレビ番組である場合、番組の種類、出演者などの情報を特定する。そして、サーバ３は、特定した情報に基づいて、定型文ボタンを生成するためのボタン生成情報を生成し、タブレット端末１に送信する。例えば、当該テレビ番組の出演者の名前を定型文ボタンとして生成するためのボタン生成情報や、テレビ番組がクイズ番組の場合、「わかった！」などを定型文ボタンとして生成するためのボタン生成情報を生成し、タブレット端末１に送信する。
【０１２４】
タブレット表示制御部１３３は、表示画像格納部１４１から読み出したデータに加え、受信したボタン生成情報に基づいてタブレット表示画像を生成する。これにより、ユーザは、コンテンツ７１の内容に応じた定型文をアバター７３に発言させることができる。よって、ユーザはタブレット端末１に対する簡易な操作で、他のユーザとのコンテンツ７１の内容に応じたコミュニケーションを図ることができる。
【０１２５】
なお、上述した各変形例は、後述する各実施形態においても適用可能である。
【０１２６】
〔実施形態２〕
本発明の別の実施形態について、図１２を参照して説明すれば以下のとおりである。図１２は、タブレット端末１０の要部構成を示すブロック図である。なお、タブレット端末１０は、実施形態１にて説明したタブレット端末１と同様に、図３に示すようなサブシステムに含まれる。すなわち、タブレット端末１０は、ルータなどを介してサーバ３と互いに通信可能に接続される。
【０１２７】
本実施形態に係るタブレット端末１０は、外部からの情報に基づいてバイブレータ１６を動作させる。具体的には、サーバ３が、タブレット端末１０のユーザのアバター７３と別のユーザのアバター７３とがコミュニケーション領域７２（または分割領域７３、分割領域７７）の同じ位置に配置されたことを特定すると、その旨を示す情報である衝突情報をタブレット端末１０に送信する。上記衝突情報は、通信部１５を介して報知動作制御部１３５に供給される。そして、報知動作制御部１３５は衝突情報を供給されると、バイブレータ１６を動作させる。
【０１２８】
また、サーバ３は、同じ位置に配置されたアバター７３同士が衝突したことを示す画像を作成し、テレビ２に送信して表示させる。
【０１２９】
これにより、ユーザは、テレビ２にてアバター７３同士が衝突したことを確認すると同時に、タブレット端末１０の振動を体感することができる。よって、テレビ２に表示される画像内でのイベントを、リアルに体感することができる。
【０１３０】
〔実施形態３〕
本発明のさらに別の実施形態について説明すれば以下のとおりである。本実施形態では、状態取得部１２に含まれるマイク１２５が取得した音声によってテキスト入力を行う構成について説明する。
【０１３１】
図４に示すメッセージ入力領域５１は音声入力開始ボタン（不図示）をさらに含む。入力特定部１３１は、音声入力開始ボタンに対するタップ操作を特定すると、マイク１２５が取得した音声の情報を、タブレット表示制御部１３３に出力するように設定する。そして、入力特定部１３１は、音声によるテキスト入力を終了させるための入力操作（例えば、音声入力開始ボタンをもう一度タップする操作）を特定するまでに入力された音声を、タブレット表示制御部１３３に出力する。タブレット表示制御部１３３は、マイク１２５から入力された音声の情報をテキスト情報に変換し、表示部１１２に表示させる。
【０１３２】
なお、入力特定部１３１は、音声入力開始ボタンに対するタップ操作を特定した場合、マイク１２５が取得した音声の情報を、状態特定部１３２に出力しないように設定してもよい。これにより、音声による入力操作が実行されている間は、実施形態１で説明したような、マイク１２５が取得した音声によってコミュニケーション情報を特定する処理が実行されない。すなわち、ユーザが音声による入力操作を行いたいのに、別の処理（コミュニケーション画像に対する処理）が実行されるということがない。よって、ユーザが望む処理を適切に実行することができる入力装置を実現できる。
【０１３３】
〔実施形態４〕
本発明のさらに別の実施形態について、図１３を参照して説明すれば以下のとおりである。図１３は、本実施形態における共同閲覧システム２００の構成を示す図である。
【０１３４】
共同閲覧システム２００は、図３に示す共同閲覧システム１００に含まれるサブシステム１０１ｂに代えて、サブシステム１０１ｃを含む。サブシステム１０１ｃは、インターネットに接続可能なスマートフォン５を含む。すなわち、スマートフォン５は、入力装置と表示装置とを兼ねるものである。スマートフォン５の要部構成を示すブロック図は、例えば図１に示すブロック図と同様である。ただし、タブレット表示制御部１３３は、タブレット表示画像に加えて、サーバ３から送信された表示画像も表示部１１２に表示させる。
【０１３５】
これにより、ユーザは外出している場合でも共同閲覧システム２００に参加することができる。なお、本実施形態ではサブシステム１０１ｃはスマートフォン５を含むものとして説明したが、ユーザが外出先で共同閲覧システム２００に参加することが可能な構成であれば、これに限定されるものではない。例えば、サブシステム１０１ｃは、タブレット端末および持ち運び可能なルータを含むものであってもよい。
【０１３６】
〔ソフトウェアによる実現例〕
タブレット端末１およびタブレット端末１０の制御ブロック（特に入力特定部１３１、状態特定部１３２、タブレット表示制御部１３３、および表示指示決定部１３４）は、集積回路（ＩＣチップ）等に形成された論理回路（ハードウェア）によって実現してもよいし、ＣＰＵ（Central Processing Unit）を用いてソフトウェアによって実現してもよい。
【０１３７】
後者の場合、タブレット端末１およびタブレット端末１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３８】
〔まとめ〕
本発明の態様１に係る入力装置（タブレット端末１）は、通信ネットワークを介した複数のユーザによるコンテンツの閲覧およびコミュニケーションを可能にする共同閲覧システム１００において、他のユーザとコミュニケーションを図るためのコミュニケーション画像に対する処理を示すコミュニケーション情報を送信する送信部（通信部１５）を備える入力装置であって、自装置または自装置の周囲の状態を特定する状態特定部１３２と、上記状態特定部による特定結果に対応付けられた上記コミュニケーション情報を特定するコミュニケーション情報特定部（表示指示決定部１３４）と、を備える。
【０１３９】
上記の構成によれば、状態特定部による特定結果に対応付けられたコミュニケーション情報を特定することで、自装置または自装置の周囲の状態に応じた、他のユーザとコミュニケーションを図るためのコミュニケーション画像に対する処理を示すコミュニケーション情報を特定することができる。
【０１４０】
これにより、ユーザが意識的な入力操作を行わなくても、自装置または自装置の周囲の状態に応じたコミュニケーション情報が外部に送信され、コミュニケーション画像に対する処理が実行される。すなわち、ユーザが意識的な入力操作を行わなくても、他のユーザはコミュニケーション画像を見ることで、当該ユーザの状態を把握することができる。また、ユーザは意識的な入力操作を行わなくてもコミュニケーション画像に対する処理を実行することができるので、入力操作に気を取られてコンテンツの閲覧がおろそかになることがない。以上より、ユーザはコンテンツの閲覧と他のユーザとのコミュニケーションとを同時に楽しむことができる。
【０１４１】
本発明の態様２に係る入力装置は、上記態様１において、自装置または自装置の周囲の状態を特定するための特定情報を取得する取得部（状態取得部１２）をさらに備え、上記状態特定部は、上記取得部が取得した特定情報に基づいて自装置または自装置の周囲の状態を特定してもよい。
【０１４２】
上記構成によれば、入力装置は、自装置または自装置の周囲の状態を特定するための特定情報を取得する取得部を備えているので、自装置または自装置の周囲の状態を特定するための特定情報を、自装置の構成のみで取得することができる。
【０１４３】
本発明の態様３に係る入力装置は、上記態様２において、上記取得部は、自装置に生じる加速度を取得する加速度取得部（加速度センサ１２１）、自装置の周囲の照度を取得する照度取得部（照度センサ１２２）、自装置の位置情報を取得する位置情報取得部１２３、自装置の周囲を撮影する撮影部（カメラ１２４）、自装置の周囲の音声を取得する音声取得部（マイク１２５）、および、自装置の向きおよび傾きを取得する方向／傾き取得部のうち、少なくともいずれか１つを含み、上記状態特定部は、上記加速度取得部、上記照度取得部、上記位置情報取得部、上記撮影部、上記音声取得部、上記方向／傾き取得部のうち、少なくともいずれか１つが取得した特定情報に基づいて自装置または自装置の周囲の状態を特定してもよい。
【０１４４】
上記構成によれば、自装置に生じる加速度、自装置の周囲の照度、自装置の位置情報、自装置の周囲を撮影した画像、自装置の周囲の音声、自装置の向きおよび傾きのうち、少なくともいずれか１つに基づいたコミュニケーション情報が特定される。よって、様々な自装置または自装置の周囲の状態に応じたコミュニケーション情報が特定されるので、本発明に係る入力装置を使用しているユーザの様々な状態を、他のユーザは特定することができる。
【０１４５】
本発明の態様４に係る入力装置は、上記態様３において、上記コミュニケーション情報特定部は、上記状態特定部が、上記方向／傾き取得部によって取得された自装置の向きおよび傾きからユーザが自装置を把持していると特定したとき、ユーザが自装置を把持していることを示す上記コミュニケーション情報を特定してもよい。
【０１４６】
上記構成によれば、自装置の向きおよび傾きからユーザが自装置を把持していると特定されたとき、自装置を把持していることを示すコミュニケーション情報が特定される。これにより、本発明に係る入力装置のユーザが入力装置を把持しながらコンテンツを閲覧していることを、他のユーザは認識することができる。
【０１４７】
すなわち、本発明に係る入力装置のユーザが入力装置への入力操作を実行することが可能であると、他のユーザは認識することができるので、他のユーザは当該ユーザとのコミュニケーションが可能であると認識することができる。
【０１４８】
本発明の態様５に係る入力装置は、上記態様３において、上記コミュニケーション情報特定部は、上記状態特定部が、上記加速度取得部によって取得された自装置に生じた加速度から、ユーザが自装置を把持していると特定したとき、ユーザが自装置を把持していることを示す上記コミュニケーション情報を特定してもよい。
【０１４９】
上記構成によれば、自装置に生じた加速度からユーザが自装置を把持していると特定されたとき、自装置を把持していることを示すコミュニケーション情報が特定される。これにより、本発明に係る入力装置のユーザが入力装置を把持しながらコンテンツを閲覧していることを、他のユーザは認識することができる。
【０１５０】
すなわち、本発明に係る入力装置のユーザが入力装置への入力操作を実行することが可能であると、他のユーザは認識することができるので、他のユーザは当該ユーザとのコミュニケーションが可能であると認識することができる。
【０１５１】
本発明の態様６に係る入力装置は、上記態様３から５のいずれかにおいて、上記コミュニケーション情報特定部は、上記状態特定部が、上記照度取得部によって取得された自装置の周囲の照度が、所定の値を超えていないとき、ユーザの周囲が暗いことを示す上記コミュニケーション情報を特定してもよい。
【０１５２】
上記構成によれば、自装置の周囲の照度が所定の値を超えないと特定されたとき、ユーザの周囲が暗いことを示すコミュニケーション情報が特定される。これにより、本願発明に係る入力装置のユーザの周囲が暗いことを他のユーザは認識することができる。よって、他のユーザは当該ユーザとのコミュニケーションが可能か否かを判断することができる。
【０１５３】
本発明の態様７に係る入力装置は、上記態様３から６のいずれかにおいて、上記コミュニケーション画像は、ユーザを一義的に識別するための画像であり、上記状態特定部は、上記位置情報取得部が取得した自装置の位置情報に基づいて、上記コンテンツおよびコミュニケーション画像を表示する表示装置（テレビ２）と自装置との位置関係を特定し、上記コミュニケーション情報特定部は、上記状態特定部が特定した上記表示装置と自装置との位置関係を、上記表示装置に表示される上記コンテンツと上記コミュニケーション画像との位置関係に反映させるための上記コミュニケーション情報を特定してもよい。
【０１５４】
上記構成によれば、自装置と表示装置との位置関係が、表示装置に表示されているコミュニケーション画像とコンテンツとの位置関係に反映される。これにより、他のユーザは、本願発明に係る入力装置のユーザが、当該ユーザが使用している表示装置に対してどこにいるかを認識することができる。
【０１５５】
本発明の態様８に係る入力装置は、上記態様１から７のいずれかにおいて、ユーザによる入力操作を受け付ける入力部１１１と、上記入力操作を受け付けるための１つ以上のユーザインターフェースを表示する表示部１１２と、上記入力部が受け付けた入力操作を特定する入力特定部１３１と、をさらに備え、上記入力特定部は、上記表示部に表示されたユーザインターフェースに対する入力操作を特定し、上記コミュニケーション情報特定部は、上記ユーザインターフェースに対する上記入力特定部によって特定された入力操作に対応付けられた上記コミュニケーション情報を特定してもよい。
【０１５６】
上記構成によれば、表示部に表示されたユーザインターフェースに対する入力操作が特定されることで、当該入力操作に対応付けられたコミュニケーション情報を特定する。これにより、ユーザはユーザインターフェースに対して入力操作を行うだけで、コミュニケーション画像に対する処理を実行させることができる。すなわち、簡易な操作によってコミュニケーション画像に対する処理を実行させることができる。よって、入力操作に気を取られてコンテンツの閲覧がおろそかになることがないので、ユーザはコンテンツの閲覧と他のユーザとのコミュニケーションとを同時に楽しむことができる。
【０１５７】
本発明の態様９に係る入力装置は、上記態様８において、上記入力操作は、上記コンテンツを変更するための入力操作であり、上記コミュニケーション情報特定部は、上記入力特定部が特定した上記コンテンツを変更するための入力操作に対応付けられた上記コミュニケーション情報を特定してもよい。
【０１５８】
上記構成によれば、コンテンツを変更するための入力操作が特定されたとき、コンテンツを変更するための入力操作に対応付けられたコミュニケーション情報が特定される。これにより、本願発明に係る入力装置のユーザがコンテンツを変更しようとしていることを他のユーザは認識することができる。よって、コンテンツを変更しようとしている状態に適したコミュニケーションを図ることができる。
【０１５９】
本発明の態様１０に係る入力装置は、上記態様８において、上記表示部に表示する上記ユーザインターフェースを決定する表示内容決定部（タブレット表示制御部１３３）をさらに備え、上記表示内容決定部は、上記コンテンツの内容に応じて上記表示部に表示する上記ユーザインターフェースを決定してもよい。
【０１６０】
上記構成によれば、コンテンツの内容に応じて、表示部に表示されるユーザインターフェースが決定される。すなわち、コンテンツが変更されると、ユーザインターフェースも変化する。これにより、ユーザインターフェースを使用しながらでも、バラエティに富んだコミュニケーションを図ることができる。
【０１６１】
本発明の態様１１に係る入力装置を用いたコミュニケーション情報の特定方法は、通信ネットワークを介した複数のユーザによるコンテンツの閲覧およびコミュニケーションを可能にする共同閲覧システムにおいて、他のユーザとコミュニケーションを図るためのコミュニケーション画像に対する処理を示すコミュニケーション情報を送信する送信部を備える入力装置を用いたコミュニケーション情報の特定方法であって、自装置または自装置の周囲の状態を特定する状態特定ステップ（ステップＳ８）と、上記状態特定ステップにおける特定結果に対応付けられた上記コミュニケーション情報を特定するコミュニケーション情報特定ステップ（ステップＳ９）と、を含む。
【０１６２】
上記構成による作用効果は、上述した態様１と同じである。
【０１６３】
本発明の態様１２に係る処理装置（サーバ３）は、上記態様１から１０のいずれかに記載の入力装置から送信された上記コミュニケーション情報に応じて、コミュニケーション画像に対する処理を実行し、上記コンテンツおよび上記コミュニケーション画像を表示する表示装置（テレビ２）に、処理が実行された上記コミュニケーション画像を送信してもよい。
【０１６４】
上記構成によれば、処理装置においてコミュニケーション画像に対する処理が実行されるので、入力装置や表示装置の処理負荷を軽減することができる。
【０１６５】
本発明の態様１３に係る表示装置（テレビ２）は、上記態様１２に記載の処理装置から送信された上記コミュニケーション画像を、上記コンテンツとともに表示してもよい。
【０１６６】
上記構成によれば、表示装置は、送信されたコミュニケーション画像をコンテンツとともに表示するので、特別な機能を必要としない。よって、一般的なテレビやディスプレイなどを本発明の表示装置として使用することができる。
【０１６７】
本発明の態様１４に係る処理装置（サーバ３）は、上記態様１から１０のいずれかに記載の入力装置から送信された上記コミュニケーション情報に応じて、上記コミュニケーション画像に対する処理を実行するための指示情報を上記コンテンツおよび上記コミュニケーション画像を表示する表示装置（テレビ２）に送信してもよい。
【０１６８】
上記構成によれば、コミュニケーション情報に応じた指示情報を表示装置に送信するので、コミュニケーション画像に対する処理は実行しない。よって、処理装置の処理負荷を軽減することができる。
【０１６９】
本発明の態様１５に係る表示装置（テレビ２）は、上記態様１４に記載の処理装置から送信された上記指示情報に応じて、コミュニケーション画像に対する処理を実行し、処理が実行された上記コミュニケーション画像を上記コンテンツとともに表示してもよい。
【０１７０】
上記構成によれば、表示装置においてコミュニケーション画像に対する処理が実行されるので、処理装置からコミュニケーション画像などの大容量の情報が送信されることがない。よって、装置間における情報のやり取りをスムーズにすることができる。
【０１７１】
本発明の各態様に係る入力装置は、コンピュータによって実現してもよく、この場合には、コンピュータを上記入力装置が備える各部（ソフトウェア要素に限る）として動作させることにより上記入力装置をコンピュータにて実現させる入力装置の制御プログラム、およびそれを記録したコンピュータ読み取り可能な記録媒体も、本発明の範疇に入る。
【０１７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７３】
本発明は、通信ネットワークを介した複数のユーザによるコンテンツの閲覧およびコミュニケーションを可能にする共同閲覧システムにおいて、他のユーザとコミュニケーションを図るためのコミュニケーション画像に対する処理を実行するための入力操作を受け付ける入力装置に利用することができる。具体的には、タブレット端末、スマートフォンなどに好適に利用することができる。
【符号の説明】
【０１７４】
１      タブレット端末（入力装置）
２      テレビ（表示装置）
１２    状態取得部（取得部）
１５    通信部（送信部）
１００  共同閲覧システム
１１１  入力部
１１２  表示部
１２１  加速度センサ（加速度取得部）
１２２  照度センサ（照度取得部）
１２３  位置情報取得部
１２４  カメラ（撮影部）
１２５  マイク（音声取得部）
１２６  地磁気センサ（方向／傾き取得部）
１３１  入力特定部
１３２  状態特定部
１３３  タブレット表示制御部（表示内容決定部）
１３４  表示指示決定部（コミュニケーション情報特定部）
Ｓ８    状態特定ステップ
Ｓ９    コミュニケーション情報特定ステップ
【図１】
2015079865.tif 000003
【図２】
2015079865.tif 000004
【図３】
2015079865.tif 000005
【図４】
2015079865.tif 000006
【図５】
2015079865.tif 000007
【図６】
2015079865.tif 000008
【図７】
2015079865.tif 000009
【図８】
2015079865.tif 000010
【図９】
2015079865.tif 000011
【図１０】
2015079865.tif 000012
【図１１】
2015079865.tif 000013
【図１２】
2015079865.tif 000014
【図１３】
2015079865.tif 000015
【国際調査報告】
2015079865.tif 000016
2015079865.tif 000017
2015079865.tif 000018
2015079865.tif 000019